Podtech/llm-jp-corpus-v4-ja_patent huggingface dataset:
(57)【要約】【課題】  光源にＬＥＤを使用する表示灯等は輝度の面で昼間の視認性が劣る面があるので昼間にも十分視認できる導光板装置提供する。【解決手段】  透明アクリル製導光板にＶ字形のスリット加工をした面にフロスト加工を施した拡散面に、基板ケース内のＬＥＤ光源から導光板を界面反転しながら光線を直接にスリット面に照射し拡散面を高輝度に表示する。【選択図】  図１
2007080802.tif 000002
【特許請求の範囲】
【請求項１】
ＬＥＤを光源とし、光源の光りが導入口より入射されてＶ字形に切削された反射面より外部に放射される導光板を備えた、導光板装置。
【発明の詳細な説明】
【技術分野】
【００１】  本発明は導光板装置に関する。
【背景技術】
【００２】  光源の光線を導入口より導入されて反射面にて反射され放射面より外部に放射される導光板を備えた導光板装置は公知の技術である。
【発明が解決しょうとする課題】
【００３】  しかし導入された照射光線を反射面において反射した光線を表面に照射する装置が一般であるが、正面の輝度が不十分で昼間に視認できない場合もあるが、本装置は導光板において直接拡散し、視認性の高い表示灯及び装飾装置として応用することにある。
【課題を解決するための手段】
【００４】  本発明は、光源より照射され光を導光板にＶ字形状のスリットを備えそのスリット面にフロスト加工を施し直接視認できる装置とした。
【実施の形態】
【００５】  本発明の実施例を添付図に従って述べる。
まず図１の５の透明アクリル板製の導光板の６．のスリットを３０度角に加工を７．のスリットは３５度角に８．のスリットは４０度角に加工することにより均等な視認性を得る事ができ、また昼間の視認性を増す為図１の４、の光源ケースの内部に１．２．３のＬＥＤを設置することで、図１の１０．１１．１２．１３の強い照射光線を得ることが出来る。
【００６】  またこの照射光線を図１の６．７．８．９．のスリット面にフロスト加工を施した拡散面にて視認性を高める、また図１．のＬＥＤ１．を青、２．を赤、３．を緑色に設置することにより、図１．の５の導光板のスリット部分６．７．８．９．に調光された色彩を表示することが出来、装飾装置としても応用出来る。
【図面の簡単な説明】
【図１】  本発明の実施例に係る導光板の断面図である。
【図２】  本発明の実施例に係る導光板の平面図である。
【符号の説明】
１．          発光ダイオード
２．          発光ダイオード
３．          発光ダイオード
４．          導光板保持及びＬＥＤ基板ケース
５．          導光板
６．          拡散用スリット
７．          拡散用スリット
８．          拡散用スリット
９．          拡散面
１０．          照射方向
１１．          照射方向
１２．          照射方向
１３．          照射方向
【図１】
2007080802.tif 000003
【図２】
2007080802.tif 000004
(57)【要約】【課題】  プラグ内の瓢箪型コード操作部を、動かすだけの力でコードをどの角度で引いてもコンセントから抜けるプラグ押出し具に関するものである。【解決手段】  プラグの端子を末端孔部中央から切り離し丸みを持たせ、端子を抜きやすくし、さらに、プラグ内に瓢箪型コード操作具とバネの反発力で動作するコンセント押出し部を設け、コードを引く、または傾けることで磁石の接点が外れ、磁力とバネの均衡が無くなり、コンセント押出し部のバネが動作してコンセントからプラグが抜けることを特徴とするプラグ押出し具。【選択図】  図１
2007080804.tif 000002
【特許請求の範囲】
【請求項１】
プラグの端子を末端孔部中央から切り離し丸みを持たせ、端子を抜きやすくし、さらに、プラグ内に瓢箪型コード操作具とバネの反発力で動作するコンセント押出し部を設け、コードを引く、または傾けることで磁石の接点が外れ、磁力とバネの均衡が無くなり、コンセント押出し部のバネが動作してコンセントからプラグが抜けることを特徴とするプラグ押出し具。
【発明の詳細な説明】
【技術分野】
【０００１】  プラグ内の瓢箪型コード操作部を、動かすだけの力でコードをどの角度で引いてもコンセントから抜けるプラグ押出し具に関するものである。
【背景技術】
【０００２】  プラグは、一方向以外抜け難い構造になっているので、他の方向からでは抜けず、足などに引っ掛けた場合、転倒などの二次災害を招く危険がある。
また、プラグの根元を持たず、止む無くコードを無理やり引っ張り抜いている。
【発明の開示】
【発明が解決しようとする課題】
【０００３】（イ）コンセントに差し込まれたプラグの端子は硬く挟まれている。
（ロ）その為、簡単には抜けず、足などに引っ掛け転倒などの事故を招いている。
（ハ）手が届かない場合、コードを無理やり引っ張り、コードが断線する等の故障の原因にもなっている。
（ニ）手が届かないコンセントの場所でも、根元から引き抜かなければならない。
本発明は、以上の問題点を解決するためになされたものである。
【課題を解決するための手段】
【０００４】  プラグの端子を末端孔部中央から切り離し丸みを持たせ、端子を抜き易くする。
プラグ内に瓢箪型コード操作具とバネの反発力で動作するコンセント押出し部を設け、コードを引くまたは傾けることで磁石の接点が外れ、磁力とバネの均衡が無くなり、コンセント押出し部のバネが動作してコンセントからプラグが抜ける。
以上を特徴とするプラグ押出し具である。
【発明の効果】
【０００５】  瓢箪型コード操作部を動かすだけの力でコードを操作するのでコードの断線は無く、足を引っ掛けた瞬間に抜けるので二次災害を防げる。
プラグの端子は、先端部孔部中央より切り離し、全体に丸みを付ける事で硬く挟まれずコンセントからの着脱が滑らかになる。
【発明を実施するための最良の形態】
【０００６】  以下、本発明の実施の形態について説明する。
（イ）可動する瓢箪型コード操作具（３）にコード（２）を通し二股に分け、各端子（８）に接続し、コード締め具（４）で固定する。
（ロ）瓢箪首部（５）は垂直方向にも作用するように首長として、瓢箪型コード操作部（３）下部とコンセント押出し部（１０）上部双方に磁石部（７）を設け、プラグ本体（１）内に設置する。
（ハ）コンセント押出し部（１０）をコンセントから押出すためのバネ部（９）を設ける。
（ニ）プラグ本体（１）の端子（８）は先端部孔部中央から切り離し半円の凹み状態として、角を無くして丸みを付ける。
（ホ）プラグ本体（１）は、瓢箪型コード操作部（３）の３６０度回転を可能にする為、出っ張り部（１１）を設ける。
本発明は以上の構成からなるので、本発明を使用するときは、根元からの着脱はもとより、３６０度をどの角度からでもコード（２）を引くことで瓢箪型コード操作部（３）を動かすことで、磁石（７）とバネ（９）の均衡が無くなり、バネ（９）の反発力でコンセント押出し部（１０）が押出されプラグ本体（１）が抜ける。
【図面の簡単な説明】
【０００７】
【図１】    本発明の平面断面図
【図２】    本発明の斜視図
【図３】    本発明の斜視図
【符号の説明】
【０００８】１    プラグ本体
２    コード
３    瓢箪型コード操作部
４    コード締め具
５    瓢箪首部
６    ネジ孔
７    磁石部
８    端子
９    バネ部
１０  コンセント押出し部
１１  出っ張り部
【図１】
2007080804.tif 000003
【図２】
2007080804.tif 000004
【図３】
2007080804.tif 000005
(57)【要約】【課題】  省電力を図るため、磁気回路式安定器を使用した２灯用蛍光灯器具で２灯並列点灯式であれば、１灯のランプを外しても他の１灯が点灯するため省電力が可能であるが、２灯直列ラピッドスタート式では１灯のランプを外すと他の１灯も消えてしまい照明器具としての機能が果たせない。【解決手段】  本発明の蛍光灯器具は、直列に接続されている２本の蛍光灯のうち１本を短絡させ１灯点灯させるようにしたもので、その方法は、１灯のソケット間には、電極の１ピンと他端の電極の１ピンを管長に沿って管表面に貼り付けた絶縁電線で短絡した蛍光灯を、他の１灯のソケット間には通常の蛍光灯を装着して、２灯の蛍光灯のうち１灯のみ点灯させる。【選択図】  図１
2007080803.tif 000002
【特許請求の範囲】
【請求項１】
予熱型熱陰極蛍光灯を使用した２灯直列ラピッドスタートの磁気回路式安定器を使用した器具で、１灯のソケット間には、電極の１ピンと他端の電極の１ピンを管長に沿って管表面に貼り付けた絶縁電線で短絡した蛍光灯を、他の１灯のソケット間には通常の蛍光灯を装着して、２灯の蛍光灯のうち１灯のみ点灯させてなる節電型蛍光灯器具。
【発明の詳細な説明】
【技術分野】
【０００１】  本発明は、蛍光灯器具の節電方法に関するものである。
【背景技術】
【０００２】  従来一般に、工場、事務所などでは蛍光灯器具として４０Ｗ２灯用が多く使用されている。中でも２灯直列ラピッドスタート式が主流である。【０００３】  最近の傾向として地球温暖化防止のため省電力が要望されている。そのため、蛍光灯器具に関しても間引き点灯や２灯用であればランプの１灯を抜いて１灯のみ点灯して省電力を図っている。
【発明の開示】
【発明が解決しようとする課題】
【０００４】  省電力を図るため、２灯用蛍光灯器具で２灯並列点灯式であれば、１灯のランプを外しても他の１灯が点灯するため省電力が可能であるが、２灯直列ラピッドスタート式では１灯のランプを外すと他の１灯も消えてしまい照明器具としての機能が果たせない。【０００５】  本発明は、従来一般照明として使用されている磁気回路式の安定器を使用した２灯直列ラピッドスタート式蛍光灯器具をそのまま使用し、１灯用器具として使用できるようにし、省電力を図ろうとするものである。
【課題を解決するための手段】
【０００６】  本発明の蛍光灯器具は、直列に接続されている２本の蛍光灯のうち１本を短絡させ１灯点灯させるようにしたもので、その方法は１本の蛍光灯の各電極間を絶縁電線などの絶縁被覆付き導通線で短絡する事を特徴とする。
【発明の効果】
【０００７】  ２灯直列ラピッドスタート式器具の蛍光灯の一本を絶縁被覆付きの導通線で短絡するだけで、２灯用を１灯用に変更でき、簡単な作業で約５０％の省電力が達成できる。
【発明を実施するための最良の形態】
【０００８】  以下、図面に基づき本発明の実施の形態を説明する。【０００９】  図１は、本発明の蛍光灯器具に使用する両電極間を絶縁電線で短絡した蛍光灯の図である。１は蛍光灯で、その両端にはそれぞれ２本の電極ピン２ａ，２ｂおよび３ａ，３ｂが設けられていて、電極ピン２ａと３ａ間は絶縁電線４で接続されている。【００１０】  図２は、本発明の節電型蛍光灯器具の一実施例を示す外観図である。器具本体６には図１の蛍光灯１がソケット７および８に、一般の蛍光灯５がソケット９および１０にそれぞれ固定されている。【００１１】  蛍光灯器具本体６に電源が印加されると、蛍光灯１と蛍光灯５は直列に接続されているため通常は同一ランプ電流が流れ点灯するが、蛍光灯１は絶縁電線４で短絡されているため点灯せず、蛍光灯５のみが点灯する。【００１２】  この結果、蛍光灯は１灯しか点灯しないため概略５０％の省電力が達成される。
【図面の簡単な説明】
【００１３】
【図１】本発明の器具に使用する両電極間を絶縁電線で接続された蛍光灯の外観図。
【図２】本発明の一実施例を示す蛍光灯器具の外観図。
【符号の説明】
【００１７】  １，５                  蛍光灯
２ａ，２ｂ，３ａ，３ｂ  蛍光灯の電極ピン
４                      絶縁電線
６                      蛍光灯器具
７，８，９，１０        ソケット
【図１】
2007080803.tif 000003
【図２】
2007080803.tif 000004
(57)【要約】【課題】自動車・電気製品（部品）などの、アース電位をより安定させ、各種性能を向上させる。【解決手段】自動車、電気製品（部品）、などの使用時にアース電位となるべき部位に、マイナスイオン発生物質（トルマリン鉱石の粉末など）を、塗布又は密着又は混入する。これにより、自動車においては、動力（エンジン・モーター）性能の向上、燃費性能の向上、バッテリー性能の向上、音響製品の音質の改善、静粛性の向上、より滑らかなサスペンション性能が得られる。電気製品においては、雑音の低下及び各種性能の向上、電気消費量の低下などが得られる。  また、人体に対する環境もより良好なもの（マイナスイオン効果）になる。【選択図】      図２
2007080805.tif 000002
【特許請求の範囲】
【請求項１】
部品及び本体のアース電位とするべき部位に、マナスイオン発生物質（トルマリン鉱石の粉末など）を塗布又は密着又は混入する。
アース電位がより安定することにより、自動車の静穏性能の向上、動力性能の向上燃費の向上、音響製品の音質改善、サスペンション性能向上、など総合的に改善可能である。さらに電化製品の省エネ、各種性能の向上などが可能となる。
また、人体に対する環境もより良好なもの（マイナスイオン効果）になる。
【発明の詳細な説明】
【技術分野】
【０００１】本発明は、自動車及び電化製品などの電荷の発生する製品全てに、理想的なアース状態を作り出し、性能を高たものである。
【背景技術】
【０００２】従来は、マイナスイオン発生物質を利用して製品電荷をトータルに制御する発想及び製品がなかった。
【発明の開示】
【発明が解決しようとする課題】
【０００３】自動車・電気製品（部品）などの使用時に、多様な環境から生じる障害を解決する。
【課題を解決するための手段】
【０００４】部品及び本体のアース電位とするべき部位に、マナスイオン発生物質（トルマリン鉱石の粉末など）を塗布又は密着又は混入する。（以上の処置をイオン処理と称する）
【発明の効果】
【０００５】アース電位がより安定することにより、自動車の静穏性能の向上、動力性能の向上燃費の向上、音響製品の音質改善、サスペンション性能向上、など総合的に改善可能である。さらに電化製品の省エネ、各種性能の向上などが可能となる。
また、人体に対する環境もより良好なもの（マイナスイオン効果）になる。
【実施例１】
【０００６】
【図１】
のように施工することにより、自動車の静穏性能の向上、動力性能の向上燃費の向上、音響製品の音質改善、サスペンション性能向上、など総合的に改善する。
【図面の簡単な説明】
【０００７】
【図１】本発明の自動車断面図である。
【図２】本発明の概念図である。
【符号の説明】
１  イオン処理された自動車のボデイ
２  イオン処理された内張り部材
３  イオン処理された空気吸入部材
４  イオン処理された電装容器部材（電線カバー材も含む）
５  タイヤ・ホイール
６  イオン処理されたアース電位部材
７  アース接続
８  電気利用機器の電気回路
【図１】
2007080805.tif 000003
【図２】
2007080805.tif 000004
(57)【要約】【課題】  本発明は頻繁に起こる白熱電球の球切れを低コストで球切れを防止することを可能にする。【解決手段】  本発明は白熱電球のプラグの頭に３の整流用ダイオードを装着して電球をソケットにねじ込みを行うことで交流電源を半波整流させて白熱電球に電力を供給することでフィラメントに掛かる衝撃が緩和され球切れを防止することができ煩わしい電球の球切れ交換から開放される。【選択図】  図１
2007080801.tif 000002
【特許請求の範囲】
【請求項１】
一般家庭や施設で使用される白熱電球において、フィラメントの断線による電球の球切れを防止するために、電球のプラグとソケットの間に電子部品を挟み込む、または電球のソケット内部に電子部品を組込むことにより供給電力を制御することでフィラメントに流れる電流を緩衝し、球切れを防止する部品である。
【発明の詳細な説明】
【技術分野】
【０００１】  本発明は、白熱電球の電力供給に関するものである。
【背景技術】
【０００２】  従来家庭用の白熱電球の球切れ防止を目的にしている技術はなく産業用として、抵抗器を用い常時、微電流を流し、点灯時の衝撃による球切れを防止する電気回路を組んで対応させている。
【発明の開示】
【発明が解決しようとする課題】
【０００３】  一般家庭や施設で白熱電球は頻繁に球切れを起こし、高所に施している場合、交換が面倒である、抵抗器で電流を下げれば発熱の問題があり、トライアックなどを用いた調光器は経費が掛かり経済的に問題がある、また安価である白熱電球のメリットが失はれてしまう、そこで安価な電子部品で電力を制御し電球を点灯することで球切れ防止の問題を解決しようとするものである。
【課題を解決するための手段】
【０００４】  本発明は、白熱電球とソケットの間に電子部品を挟み込むことで電力を制御しし電球を点灯することでフィラメントに掛かる衝撃を緩和させ球ぎれ防止の問題を解決している。
【発明の効果】
【０００５】  電子部品を挟んだ上下の電極板を白熱電球のプラグの頭に装着し、電球のソケットに、ねじ込むことにより白熱電球の供給電力が制御されフィラメントに流れる電流を緩衝し球切れを防止する。
【発明の実施するための最良の形態】
【０００６】  一般家庭の商用電力の交流１００ボルトの白熱電球用ソケット１に１００ワット程度の白熱電球の頭６に球切れ防止部品３を装着しソケットにねじ込むことにより点灯する回路に白熱電球と整流用ダイオードが直列接続され白熱電球には交流電源が半波整流され実効電力が半分になりフィラメントに流れる電流が半分になり点灯時に掛かる衝撃を緩和し球切れを防止する。
【図面の簡単な説明】
【０００７】
【図１】  本発明の実施形態を示す白熱電球に球切れ防止部品を装着した図である。
【図２】  球切れ防止部品の構造を示した面図である。
【図３】  球切れ防止部品と白熱電球の点灯回路のを示す面図である。
【図４】  球切れ防止部品と白熱電球の段階点灯回路を示す面図である。
【符号の説明】
【０００８】  １  ソケット
２  ソケット中央電極
３  球切れ防止部品
４  ねじ電極
５  ガラス球
６  先端電極
７  絶縁部分
８  球切れ防止部品の上部電極
９  シリコンゴム充填
１０  整流用ダイオード
１１  アノードリード線下部電極とハンダ付け
１２  カソードリード線上部電極とハンダ付け
１３  ガラスエポキシドーナツ形基板
１４  リング状シリコンゴム
１５  球切れ防止部品の下部電極
【図１】
2007080801.tif 000003
【図２】
2007080801.tif 000004
【図３】
2007080801.tif 000005
【図４】
2007080801.tif 000006
(57)【要約】【課題】ＬＥＤチップで発生した熱を効率よく放熱させる。【解決手段】パッケージ１０は、ＡｌやＣｕのような金属製の部分１０ａと、高熱伝導率のセラミック材料（例えば、ＡｌＮなど）製の部分１０ｂとの多層構造を有し、金属製の部分１０ａがＬＥＤチップ１の実装される凹所１１側に配置されている。ＬＥＤチップ１で発生した熱がサブマウント部材２を介してパッケージ１０の金属製の部分１０ａに伝わり、さらに金属製の部分１０ａからセラミック材料製の部分１０ｂに伝導し、セラミック材料製の部分１０ｂで輻射熱として放熱する。故に、パッケージ１０全体をセラミック材料で形成する場合に比較して、ＬＥＤチップ１で発生した熱を効率よく放熱させることができる。【選択図】        図１
2007080868.tif 000002
【特許請求の範囲】
【請求項１】
ＬＥＤチップと、ＬＥＤチップが実装されるパッケージとを備え、パッケージは、金属製の部分と、高熱伝導率のセラミック材料製の部分との多層構造を有し、金属製の部分がＬＥＤチップの実装される側に配置されたことを特徴とする発光装置。
【発明の詳細な説明】
【技術分野】
【０００１】
本発明は、ＬＥＤチップ（発光ダイオードチップ）を利用した発光装置に関するものである。
【背景技術】
【０００２】
従来、ＬＥＤチップとＬＥＤチップから放射された光によって励起されてＬＥＤチップとは異なる発光色の光を放射する波長変換材料としての蛍光体（蛍光顔料、蛍光染料など）とを組み合わせてＬＥＤチップの発光色とは異なる色合いの光を発する発光装置の研究が各所で行われている。この種の発光装置としては、例えば、青色光あるいは紫外光を放射するＬＥＤチップと蛍光体とを組み合わせて白色の光（白色光の発光スペクトル）を得る白色発光装置（一般的に白色ＬＥＤと呼ばれている）の商品化がなされている（例えば、特許文献１参照）。
【特許文献１】特開２００５−２４４０７６号公報
【発明の開示】
【発明が解決しようとする課題】
【０００３】
ところで、上述のような発光装置では、光出力の高出力化のために入力電力を大きくする必要があるが、そのためにはＬＥＤチップのジャンクション温度の上昇を抑制しなければならない。
【０００４】
本発明は上記事情に鑑みて為されたものであり、その目的は、ＬＥＤチップで発生した熱を効率よく放熱させることができる発光装置を提供することにある。
【課題を解決するための手段】
【０００５】
請求項１の発明は、上記目的を達成するために、ＬＥＤチップと、ＬＥＤチップが実装されるパッケージとを備え、パッケージは、金属製の部分と、高熱伝導率のセラミック材料製の部分との多層構造を有し、金属製の部分がＬＥＤチップの実装される側に配置されたことを特徴とする。
【発明の効果】
【０００６】
請求項１の発明によれば、ＬＥＤチップで発生する熱をパッケージの金属製の部分からセラミック材料製の部分に伝導し、セラミック材料製の部分で輻射熱として放熱するから、ＬＥＤチップで発生した熱を効率よく放熱させることができるという効果がある。
【発明を実施するための最良の形態】
【０００７】
本発明の発光装置は、図１に示すように青色光を放射するＬＥＤチップ１と、ＬＥＤチップ１が実装されたパッケージ１０と、パッケージ１０におけるＬＥＤチップ１の実装面側に配設される色変換部材２０とを備える。
【０００８】
パッケージ１０は、一面に円錐台形状の凹所１１を有する略直方体状に形成され、凹所１１の底面にＬＥＤチップ１が実装される。また、パッケージ１０は、ＡｌやＣｕのような金属製の部分１０ａと、高熱伝導率のセラミック材料（例えば、ＡｌＮなど）製の部分１０ｂとの多層構造を有し、金属製の部分１０ａがＬＥＤチップ１の実装される凹所１１側に配置されている。
【０００９】
ＬＥＤチップ１は、青色光を放射するＧａＮ系青色ＬＥＤチップであり、サファイア基板からなる結晶成長用基板の主表面側にＧａＮ系化合物半導体材料により形成されて、例えばダブルへテロ構造を有する積層構造部からなる発光部がエピタキシャル成長法（例えば、ＭＯＶＰＥ法など）により成長させてある。
【００１０】
また、ＬＥＤチップ１は、ＬＥＤチップ１のチップサイズよりも大きなサイズの矩形板状に形成されたサブマウント部材２を介してパッケージ１０上に搭載されており、図示しないアノード電極並びにカソード電極がそれぞれボンディングワイヤ（図示せず）を介してパッケージ１０に形成されている導体パターン（図示せず）と電気的に接続されている。ここで、サブマウント部材２は、熱伝導率が比較的に高く且つ絶縁性を有する材料（例えば、ＡｌＮや複合ＳｉＣなど）によって形成されている。なお、ＬＥＤチップ１とサブマウント部材２とは、ＡｕＳｎ、ＳｎＡｇＣｕなどの鉛フリー半田を用いて接合されている。
【００１１】
色変換部材２０は、シリコーン樹脂のような透明材料とＬＥＤチップ１から放射される青色光によって励起されてブロードな黄色系の光を放射する粒子状の黄色蛍光体からなる蛍光材料とを混合した混合物の成形品によって構成され、凹所１１の開口を塞ぐ形でパッケージ１０に接合されている。したがって、ＬＥＤチップ１から放射された青色光と黄色蛍光体から放射された光との混色光が色変換部材２０から出射されることとなり、白色光を得ることができる。
【００１２】
而して、ＬＥＤチップ１で発生した熱がサブマウント部材２を介してパッケージ１０の金属製の部分１０ａに伝わり、さらに金属製の部分１０ａからセラミック材料製の部分１０ｂに伝導し、セラミック材料製の部分１０ｂで輻射熱として放熱するから、パッケージ１０全体をセラミック材料で形成する場合に比較して、ＬＥＤチップ１で発生した熱を効率よく放熱させることができる。
【図面の簡単な説明】
【００１３】
【図１】本発明の実施形態を示す断面図である。
【符号の説明】
【００１４】
１  ＬＥＤチップ
１０  パッケージ
１０ａ  金属製の部分
１０ｂ  セラミック材料製の部分
【図１】
2007080868.tif 000003
(57)【要約】【課題】集客に対するスタッフ数（正社員・パート・アルバイト・配膳人を含む）の配置が、拘束９時間、実労８時間等のシフトをレストラン等の開店時間前後から９時間もしくは閉店時間前後から遡って９時間に合わせて固定的に労働シフトを決めていた配置を改め、実際の来客数に対し、適正なスタッフ数を配置することにより、顧客の満足度を高めながら、正社員の残業時間やパート・アルバイト・配膳人の労働時間数を最小限にする。【解決手段】運営時間帯を１５分単位で売上、集客およびスタッフ数、人件費、原価、その他費用を集計する。  売上、集客に対する１５分単位の集計に関し、レストランでは注文を受けた時間帯で集計する。客室では、チェックイン時（売上、集客）、チェックアウト時（集客）に集計する。宴会では、来客時間で集計する。  原価の集計は売上の集計と同時に発生させる。  スタッフ数、人件費は、シフト表及びタイムカード等の打刻システムを利用する。【選択図】なし【特許請求の範囲】
【請求項１】
運営時間帯を１５分単位で集計した売上、集客およびスタッフ数、人件費、原価、その他費用を比較検討基準（ベンチマーク）として、人的資源の適正化を構築する方法
【発明の詳細な説明】
【技術分野】
【０００１】会計基準並び、財務諸表及び個人別、役職別、部門別業績評価基準
【背景技術】
【０００２】従来は、集客に対するスタッフ数（正社員・パート・アルバイト・配膳人を含む）の配置が、拘束９時間、実労８時間等のシフトをレストラン等の開店時間前後から９時間もしくは閉店時間前後から遡って９時間に合わせて固定的に労働シフトを決めていたため、実際の来客数に対するスタッフ数の適正が検証されにくく、必要以上に正社員及びパート・アルバイト・配膳人を配置する傾向にあった。そのために正社員の残業時間やパート・アルバイト・配膳人の労働時間数が増える可能性が高かった。
【発明の開示】
【発明が解決しようとする課題】
【０００３】  集客に対するスタッフ数（正社員・パート・アルバイト・配膳人を含む）の配置が、拘束９時間、実労８時間等のシフトをレストラン等の開店時間前後から９時間もしくは閉店時間前後から遡って９時間に合わせて固定的に労働シフトを決めていた配置を改め、実際の来客数に対し、適正なスタッフ数を配置することにより、顧客の満足度を高めながら、正社員の残業時間やパート・アルバイト・配膳人の労働時間数を最小限にする。
【課題を解決するための手段】
【０００４】  運営時間帯を１５分単位で売上、集客およびスタッフ数、人件費、原価、その他費用を集計する。
売上、集客に対する１５分単位の集計に関し、レストランでは注文を受けた時間帯で集計する。客室では、チェックイン時（売上、集客）、チェックアウト時（集客）に集計する。宴会では、来客時間帯で集計する。
原価の集計は売上の集計と同時に発生させる。
スタッフ数、人件費は、シフト表及びタイムカード等の打刻システムを利用する。
【発明を実施するための最良の形態】
【０００５】人的資源の適正化は、正社員の実労時間、残業時間、パート、アルバイト、配膳人等の合計実労時間を対象とするため。実労時間の１５分単位の比較は、個人単位の比較表となる。
例えば、１２時１５分から１２時３０分の１５分の間に、売上合計、集客数、スタッフ数（その時間帯、誰が働いていたかが個人単位で明らかになる比較表が必要とされる。
【実施例】
【０００６】比較表をレストランに対し作成した結果、次のことが明らかになった。
朝食時間帯、昼食時間帯、夕食時間帯にて、開店まえに必要以上に多くのスタッフが配置されていたことが明らかになったので、出勤時間を遅らせた結果、有効な労働時間が増えた。
朝食時間帯と昼食時間帯の間の時間帯及び、昼食時間帯と夕食時間帯の間の時間帯は集客が極端に少ない時間帯ながら、スタッフは極端に多く配置されていたので、休憩時間を調整の結果、有効な労働時間が増え、残業時間が減少した。
時間帯毎の客単価が明白になったので、客単価に合ったサービスの提供が可能となった。
(57)【要約】【課題】効率的な工事積算の設計書内訳入力システムを提供すること。。【解決手段】コンピュータを、予め新積算体系データを記録しておく内訳データ記録手段、システムが作成した候補リストより指定した内訳データを設計書入力画面上に入力する手段、入力した内訳データを、設計書入力画面上に、親子関係が視覚的に把握できるように再表示する手段、入力した内訳データを基に次に入力する内訳データの候補リストを自動的に抽出する手段、その抽出された候補リストを設計書入力画面上に階層レベルが視覚的に把握できるよう表示する手段、として機能させるための工事積算システムの設計書内訳入力プログラム、及び当該プログラムを記録したコンピュータ読み取り可能な記録媒体。【選択図】  図１
2007080236.tif 000002
【特許請求の範囲】
【請求項１】
コンピュータを、予め新積算体系データを記録しておく内訳データ記録手段、システムが作成した候補リストより指定した内訳データを設計書入力画面上に入力する手段、入力した内訳データを、設計書入力画面上に、親子関係が視覚的に把握できるように再表示する手段、入力した内訳データを基に次に入力する内訳データの候補リストを自動的に抽出する手段、その抽出された候補リストを設計書入力画面上に階層レベルが視覚的に把握できるよう表示する手段、として機能させるための工事積算システムの設計書内訳入力プログラム。
【請求項２】
コンピュータを、予め新積算体系データを記録しておく内訳データ記録手段、システムが作成した候補リストより指定した内訳データを設計書入力画面上に入力する手段、入力した内訳データを、設計書入力画面上に、親子関係が視覚的に把握できるように再表示する手段、入力した内訳データを基に次に入力する内訳データの候補リストを自動的に抽出する手段、その抽出された候補リストを設計書入力画面上に階層レベルが視覚的に把握できるよう表示する手段、として機能させるための工事積算システムの設計書内訳入力プログラムを記録したコンピュータ読み取り可能な記録媒体。
【発明の詳細な説明】
【技術分野】
【０００１】  本発明は、効率的な工事積算の設計書内訳入力システムに関する。
【背景技術】
【０００２】  工事積算システムにおける設計書の内訳入力作業では、設計書入力画面とは別画面、または設計書入力領域とは別領域に表示される内訳データの一覧に対し、入力すべき内訳データを手動で検索、もしくは手動で抽出したのち選択することで、内訳入力作業を行っていた（例えば、特許文献１参照。）。
【特許文献１】    特開２００４−３１０６４７（図２、符号４３）
【発明の開示】
【発明が解決しようとする課題】
【０００３】  上記したように、工事積算システムでの設計書入力画面における内訳データの抽出、もしくは検索が、手動で行われるため非効率的であり、また、設計書入力画面とは別画面、もしくは設計書入力領域とは別領域に内訳データの一覧が表示されるため、作業者にとって大きな視点の移動が発生し作業が非効率的であった。本発明は、内訳データを新積算体系に基づかせることで入力すべき内訳データの候補リストを自動的に抽出し、さらに視点の移動を最小限に抑えた画面表示とすることで、設計書の内訳入力作業を効率的に行うための技術を提供することを目的とする。
【課題を解決するための手段】
【０００４】  コンピュータを、予め新積算体系データを記録しておく内訳データ記録手段、システムが作成した候補リストより指定した内訳データを設計書入力画面上に入力する手段、入力した内訳データを、設計書入力画面上に、親子関係が視覚的に把握できるように再表示する手段、入力した内訳データを基に次に入力する内訳データの候補リストを自動的に抽出する手段、その抽出された候補リストを設計書入力画面上に階層レベルが視覚的に把握できるよう表示する手段、として機能させるための工事積算システムの設計書内訳入力プログラムである。
【発明の効果】
【０００５】  入力すべき内訳データの候補リストを自動的に抽出し、さらに視点の移動を最小限に抑えた画面表示とすることで、設計書の内訳入力作業を効率的に行うことができるという効果がある。
【発明を実施するための最良の形態】
【０００６】  以下図１〜図２に基づいて発明を構成する手段について説明する。図１の上半分はデータ［おおおお２］を入力する前のコンピュータ画面、下半分は入力後の画面である。【０００７】  「新積算体系」の内訳の階層構造再現を実現するため、図２例で示したように、新積算体系の内訳名とその親子関係を、「内訳データ」としてデータベースに登録しておく。図２例では、設計書に［えええええ］を入力した後、「内訳データ」のデータベースの親子関係のつながり情報を使って、［おおおお１］［おおおお２］を内訳データの候補リストとして自動的に抽出することを示している。【０００８】  図１上半分画面は、［えええええ］を入力後、次の入力行２の直下に内訳データの候補リスト１を自動的に表示させ、この中からマウスクリックで選択するだけで、内訳データを設計書に入力することができる。自動的に候補のデータが画面に飛び出してくるので、何回もマウス操作して入力すべきデータを探したりする必要がなくなる。【０００９】  ここで［おおおお２］をクリックすると、［えええええ］と［おおおお２］の内訳関係や親子関係が視覚的に把握できる左右位置を決めて、図１下半分画面の入力済みデータの表示行３に、［おおおお２］を再表示する。手動で［おおおお２］の先頭に必要な数だけスペースを入力したりする必要がなくなる。【００１０】  ［おおおお２］の次に入力する候補となる内訳データを、図２例で示した方法で自動的にデータベースから抽出し、図１下半分画面の候補リスト１を自動的に表示して、システムは次の入力を促す状態で待機する。このとき、縦方向位置でみると［おおおお２］の表示行の次の直下に、横方向位置でみると［おおおお２］の１つ下の階層であることがわかる位置に、候補リスト１を自動的に表示する。候補リストから入力したいデータをマウスクリックで選択していきながら、この入力作業中において、常にデータの内訳関係や親子関係が視覚的に把握できる。
【図面の簡単な説明】
【００１１】
【図１】入力した内訳データを再表示し、次に入力する内訳データの候補リストを自動的に抽出し、その抽出された候補リストを設計書入力画面上に表示する例の説明図である
【図２】新積算体系に基づいた内訳データの候補リストを自動的に抽出する例の説明図である
【符号の説明】
【００１２】  １  内訳データの候補リスト
２  データの入力行
３  入力済みデータの表示行
【図１】
2007080236.tif 000003
【図２】
2007080236.tif 000004
(57)【要約】【課題】  コマーシャル・カルテのソフトにおける情報提供について、その対象地域を全国とするか、特定地域に限定するか、いずれかをコンピュータシステムが自動的に選択して実行する。また、情報提供主の意向により、随時情報提供フォームを変更することができる。【解決手段】  地域別コマーシャルプログラムを第三者が改ざんできないようにしながら、コマーシャル・カルテソフトのみがこれを解読し、この情報に基づいて、患者の病名別に情報提供スタイルを自動的に組み立てる、というコマーシャル・カルテの機能に併せ、地域別にも、情報提供スタイルを自動的に組み立てる、という機能を備えた。【選択図】図１
2007080234.tif 000002
【特許請求の範囲】
【請求項１】
電子カルテにコマーシャルを入れる手法として、製薬会社や各種被保険者の情報提供主が、予め取り決められたフォームで薬品名別や被保険者別に情報提供フォームを作成し、情報提供主は自分のプロバイダー又はサーバーに掲載しておく。情報提供は全国的に行う場合と、指定された地域内の医師を対象に行う場合とに設定し、あらかじめ情報提供のしかたと地域をプログラム化する。情報提供が予定された地域の病院における医師が電子カルテを入力するとき、患者の病名にあわせた薬品情報や各種保険者からの地域別な保険情報等のフォームをカルテ画面上に貼り付けてスポットコマーシャルする。
【発明の詳細な説明】
【技術分野】
【０００１】本発明は、電子カルテの入力時に表示される情報提供画面について、地域別に異なる内容を表示するよう予め設定し、それを実行するコンピュータシステムに関わる。
【背景技術】
【０００２】（発明の名称）コマーシャル・カルテ（平成１７年９月１日出願）において、医師が操作する電子カルテ画面の一部に、病名に合わせた薬剤・医材・検査等の情報提供が表示されるコンピュータシステムを当方では発明した。また、その実施例として、そのソフトを無料でインターネット上から提供する方法を考案した。これにより、地域を問わず、全国ネットで薬剤・医材・検査などの情報提供を、医師に対してピンポイントのタイミングで行うことができる。【０００３】しかし、血液等検査機関は、個人情報保護のため、集配等について自社のルートを持ち、地域別の活動を主としている。つまり、ある特定のエリア内の顧客を対象としている場合が多い。また、各種の支払基金は都道府県別に配置されており、情報の提供や病名の傾向すら地域差のあるものもある。【０００４】従って、上記の発明、つまり、予め登録された医院の場所と、そこに訪れた患者の病名とをキーにヒットさせ、画面表示させる、という上記発明コマーシャル・カルテにおける情報提供方法は、全国的な情報提供活動が求められるものと、地域別に情報提供されるものとに分ける必要がある。
【発明の開示】
【発明が解決しようとする課題】
【０００５】上記発明コマーシャル・カルテにおいて、対象を特定地域内の診療所に限定した情報提供をも可能にする。
【課題を解決するための手段】
【０００６】予め設定された地域内で使用されているコマーシャル・カルテシステムのみ、該当する情報提供フォームをダウンロードし、画面に表示するシステムを発明した。以下、詳述する。【０００７】
【図１】
のように、まず、情報提供の対象地域を限定することを望む情報提供主から予め受けた、特定地域に関する情報を暗号化する。それを、コマーシャル・カルテが閲覧する地域別コマーシャルコントロールファイルとして作成し、サーバーに搭載する。このファイルが、コマーシャル・カルテシステムに対して、地域別の情報提供を指示する。
【発明の効果】
【０００８】製薬会社を初めとする医療関係者にとっては、自社製品を効率よく情報提供できるのは大きな利点といえ、このコンピュータシステムが、延いては医療費のコストダウンに貢献する可能性も考えられる。この益を、全国展開している企業だけでなく、営業活動を特定地域に限定している企業・検査機関等においても、亨受することができる。
【０００９】また、各種支払基金を例としても、自分の担当する区域への情報伝達が必要であり、各都道府県の医師会に、その伝達を委ねている場合が多い。そのような場合にも、このシステムを活用すれば、医療機関はより多くの情報を平等に得ることができる。このことは、医療サービスにおける質の向上の一助ともなりうる。
【発明を実施するための形態】
【００１０】まず、コマーシャル・カルテと同様、情報提供したい薬剤・医材・検査等の名称、その効能にあたる病名、服薬にあたっての禁忌の病名・薬剤等について、情報提供主からコマーシャル・カルテソフト提供側に、予め情報提供する。コマーシャル・カルテソフト提供側は、これを情報提供プログラムのデータとして暗号化し、コマーシャル・カルテソフト同様にホームページ上に登録しておく。
【００１１】その際、上記に加えて、情報提供主は、情報提供の対象地域に関する情報も、併せて提供する。コマーシャル・カルテソフト提供側は、これを都道府県別に分類し、情報提供プログラムのデータとして暗号化し、コマーシャル・カルテソフトと同様に、ホームページ上に登録しておく。
【００１２】情報提供主は各ホームページのインターネットアドレス上に、予め決められた範囲での情報提供用ファイルを作成し、それをアップロードしておく。
【００１３】診察時、医師がカルテ画面に患者の病名を入力すると、対象を特定地域に限定するものも含め、該当する薬剤・医材・検査等がシステムに登録されていた場合、禁忌の病名・薬剤の有無を自動的に確認した上で、その薬剤・医材・検査等の名称を前述の情報提供用内枠に掲載する。
【実施例】
【００１４】まず、このコマーシャル・カルテソフトをインターネット上に上げ、各医療機関が無料でダウンロードして使用できるようにし、普及を図る。それと並行して情報提供主を公募する。その際、全国展開している企業だけでなく、営業活動を特定地域に限定している企業・検査機関等、更には各地域の支払基金も、公募の対象とする。
【図面の簡単な説明】
【図１】対象を特定地域に限定する情報提供について、コマーシャル・カルテシステムの起動時点から、その情報提供画面が表示されるまでのフローチャートを示した図。
【図１】
2007080234.tif 000003
(57)【要約】【課題】この発明は地図帳に磁気コンパスを取り付けたものである。磁気コンパス付地図帳を使って、正しい方角で地図を見てもらえるものを提供する。【解決手段】解決手段を説明すれば、地図帳のかどを裏表紙を残して、磁気コンパスが入る大きさに切り取る。地図帳の切り取った部分に磁気コンパスの文字盤の北の字を地図帳に書いてある地図の北方向に合わせて入れて裏表紙に取り付ける。【選択図】図１
2007241206.tif 000002
【特許請求の範囲】
【請求項１】
地図帳に磁気コンパスを取り付けたものである
【発明の詳細な説明】
【発明の詳細な説明】
【技術分野】
【０００１】この発明は、地図帳に磁気コンパスを取り付けることで、地図上にある現在地と行き先を正確に知ることができるものである
【背景技術】
【０００２】従来、地図帳の上を北方向で書かれているが、使用する際に方角が正確に分かりにくいために、行き先を間違がえてしまうことが多くあった。また、正確に方角を知るには、別に磁気コンパスを用意しなければならないので不便である。
【発明が解決しようとする課題】
【０００３】本案は地図帳に磁気コンパスを取り付けることで、使用する際の現在地の磁気コンパスが示す北方向と地図上の北方向を合わすことで正確に目的地の方向を知るための地図帳を作ろうとするものである。
【課題が解決するための手段】
【０００４】いま、その解決手段を図面に追いながら説明すれば
（イ）１地図帳のかどを裏表紙を残して、２磁気コンパスが入る大きさに切り取る。
（ロ）１地図帳の切り取った部分に２磁気コンパスの文字盤の北の字を地図帳に書いてある北方向を同じ方向に合わせ入れて裏表紙に取り付ける。
地図帳を製作する際に、地図上の北方向を全ページ同じ方向にして作る。
【発明を実施するための最良の形態】
【０００５】本案は以上の構造であるから、これを使用することで地図帳を開いて目的地を探す場合は取り付けた、磁気コンパスの針の北（Ｎ極）を文字盤の北の字に地図帳を回して合わせることで、現在地と目的地の位置関係が地図帳で正確に知ることができる。
【実施例】また地図帳のかどを切り込んで磁気コンパスを取り付けてあるので全てのページで磁気コンパスが使用できる
【発明の効果】
【０００６】地図帳を使用にあたって磁気コンパスを使用することで、現在地と目的地の位置関係を正確に知ることができるので、迷うことも少なくなり短時間で目的地に行ける。
【図面の簡単な説明】
【図１】本発明の斜視図
【符号の説明】
１は地図帳
２は磁気コンパス
【図１】
2007241206.tif 000003
(57)【要約】【課題】  トランペットの手入れの際に、管内部の清掃のため楽器本体から外した各抜差し管、バルブピストン部を作業者の不注意やその他の原因から傷をつけてしまう危険を回避し、作業者が本来の手入れ作業に集中できる環境を提供する。【解決手段】  トランペット本体から一時的に取り外した抜差し管とバルブピストン部を安全かつ安定的に保持する各保持部を、装置上に適宜に配置する。同時に付加機能として抜差し管とバルブ部から落下する雫を滞留させる、装置本体とは分離して清掃可能な部位を設ける。【選択図】図１
2007241210.tif 000002
【特許請求の範囲】
【請求項１】
トランペット本体から外した抜差し管及びバルブピストン部を着脱できる保持部を有する装置。
【請求項２】
保持した抜差し管及びバルブピストン部から落下する雫を滞留させる雫受けを有する、請求項１に記載の装置。
【請求項３】
本装置とは外装や保持部の配置が異なる、請求項１記載の装置、または請求項２記載の装置。
【請求項４】
トランペット以外の管楽器用の請求項１記載の装置、または請求項２記載の装置、または請求項３記載の装置。
【発明の詳細な説明】
【技術分野】
【０００１】  本発明は、トランペットの手入れ作業中に管楽器本体から一時的に取り外した抜差し管とバルブピストン部を安全かつ安定的に保持し、かつ、管開口部から自然落下する雫を滞留させる装置に関するものである。
【背景技術】
【０００２】  一般にトランペットの手入れの際には、管内部の清掃のため楽器本体から外された各抜差し管とバルブピストン部は、作業者によって広げられたクロス上に適当に並べ置かれる、あるいは管差し込み部分に塗布されている油分が作業周囲に付着しないよう、手近な軽段差などを利用して立てかけられて置かれる、などされている。
【発明の開示】
【発明が解決しようとする課題】
【０００３】  管内部の清掃のため楽器本体から外した各抜差し管、バルブピストン部を安定的に保持していない状況下では、作業者の不注意やその他の原因から管同士を接触させてしまう、倒してしまう、落下させてしまう、などによって傷をつける危険を伴っている。本発明はそのような問題点を解決し、作業者が本来の手入れ作業に集中できる環境を提供するものである。
【課題を解決する手段】
【０００４】  トランペット本体から一時的に取り外した抜差し管とバルブピストン部を安全かつ安定的に保持する部位を装置上に適宜に配置する。同時に付加機能として抜差し管とバルブピストン部から落下する雫を滞留させる、装置本体とは分離して水洗い清掃可能な雫受けを設ける。本発明は以上の構成により、管楽器の手入れ環境に安全性と清潔さを提供する装置である。
【発明の効果】
【０００５】  本発明を使用することによりトランペットの手入れ作業中に取り外した抜差し管とバルブピストン部への損傷を防止でき、かつ自然落下する雫の処理も手を汚さず清潔に行える。
【発明を実施するための最良の形態】
【０００６】  以下、本発明の実施の形態を説明する。
（イ）トランペットから取り外した各抜差し管とバルブピストン部（以下、部品群）を        それぞれに保持する部位（以下、保持部）を、部品同士が装着時に互いに接触し        ない間隔を開けて、装置上に適宜に配置する。
その保持部の素材は、部品群を変形させる恐れのない緩やかな圧力で固定し、か        つ着脱が容易で、部品群の様々な寸法差にも対応可能な柔軟性を持つ、発泡ウレ        タン等に代表される軟性樹脂とする。さらに、部品群の表面保護のために必要が        あれば、ベロア、モケットなどの柔布素材により表面加工を施す。
各保持部が配置される装置全体の素材は、堅牢かつ軽量な樹脂や軽金属、木材等        とする。
保持部の内訳は、主管抜差し管用の保持部（１）、第１、第２抜差し管用の保持        部（２）、第３抜差し管用の保持部（３）、３つのバルブピストン部用の保持部        （４）である。
（ロ）各保持部の配置された装置面の裏面から適度な距離を離して、装置本体から着脱        可能な雫受けを水平配置する。
雫受けの素材は、堅牢かつ軽量で水分がしみ込まない樹脂や軽金属などとする。
（ハ）各保持部に装着した部品群の管開口部の鉛直下にあたる部分の装置面には、自然        落下する雫を雫受けに滞留させるため裏面まで貫通する穴を設ける。
本発明は以上の構成からなる。
本発明を使用する場合は、手入れ作業のためにトランペット本体から一時的に取り外した部品群を各保持部へ装着し、作業が終了して再び管楽器本体へ取り付けるまでのあいだ、任意に着脱あるいは保持をさせておく。その間、自然落下した雫は雫受けに滞留させておき、手入れ作業終了後、必要に応じて雫受けを装置本体から取り外し清掃する。
【図面の簡単な説明】
【０００７】
【図１】  全体立体図１
【図２】  全体立体図２（引き出し式雫受け皿の着脱説明図）
【図３】  主管抜差し管保持部及び雫落下孔の立体図
【図４】  主管抜差し管保持部の断面図Ａ
【図５】  主管抜き差し管装着時の略図
【図６】  第１、第２抜差し管保持部及び各雫落下孔の立体図
【図７】  第１、第２抜差し管保持部の断面図Ｂ
【図８】  第１、第２抜差し管装着時の略図
【図９】  第３抜差し管保持部及び雫落下孔の立体図
【図１０】  第３抜差し管保持部の断面図Ｃ
【図１１】  第３抜差し管装着時の略図
【図１２】  バルブピストン保持部及び雫落下孔
【図１３】  バルブピストン装着時の略図
【符号の説明】
【０００８】    （１）  主管抜差し管保持部
（２）  第１、第２抜差し管保持部
（３）  第３抜差し管保持部
（４）  第１〜３バルブピストン保持部
（５）  引き出し式雫受け皿
（６）  主管抜差し管保持部
（７）  主管抜き差し管用雫落下孔
（８）  トランペット本体から取り外した主管抜き差し管
（９）  第１抜差し管保持部
（１０）第２抜差し管保持部
（１１）第２抜差し管用雫落下孔
（１２）第１抜差し管用雫落下孔
（１３）トランペット本体から取り外した第１抜き差し管
（１４）トランペット本体から取り外した第２抜き差し管
（１５）第３抜差し管保持部
（１６）第３抜差し管用雫落下孔
（１７）トランペット本体から取り外した第３抜き差し管
（１８）各バルブピストン軸装着部
（１９）各バルブピストン用雫落下孔
（２０）トランペット本体から取り外したバルブピストン
【図１】
2007241210.tif 000003
【図２】
2007241210.tif 000004
【図３】
2007241210.tif 000005
【図４】
2007241210.tif 000006
【図５】
2007241210.tif 000007
【図６】
2007241210.tif 000008
【図７】
2007241210.tif 000009
【図８】
2007241210.tif 000010
【図９】
2007241210.tif 000011
【図１０】
2007241210.tif 000012
【図１１】
2007241210.tif 000013
【図１２】
2007241210.tif 000014
【図１３】
2007241210.tif 000015